(57)【要約】【課題】簡易な構成であって主索の張力喪失時にかごの異常下降を制動するエレベーターの非常止め装置を得る。【解決手段】かご２を吊持した主索５の破断等の異常発生時に、付勢されて主索５に掛合した異常検出腕１４が回動変位し、異常検出腕１４の回動変位を直接、作動腕１３に伝動し作動腕１３の回動動作によって制動機構１１の制動片１０が上昇する。そして、制動機構１１の制動片１０と案内レール４との摩擦を介してかご２の異常下降を制動する。このような簡易な非常止め装置の構成によって異常発生時にかご２の異常下降を制動できるので、部品点数が少なく部品の製作費を節減でき、また部品の組立作業が減少して製造費を低減する。【選択図】　　　　図２
2004142914.tif 000002
【特許請求の範囲】
【請求項１】
案内レールに案内されて昇降するかごを吊持した主索、上記かごに設けられて上記案内レールに対向して配置された制動機構と、一端が上記かごに枢着されて他端は上記制動機構の制動片に係合され、常時は通常位置に配置されて上記制動片を上記案内レールに空隙を介して対向した非制動位置に保持し、要時に回動動作して上記制動片を上記案内レールに接する制動位置に変位する作動腕と、一端が上記作動腕の枢着軸側に直接連結され他端は上記主索方向に付勢されて常時において上記主索に掛合した通常位置に保持され、上記主索の張力喪失による掛合保持解除によって回動動作して上記作動腕を回動動作させる異常検出腕とを備えたエレベーターの非常止め装置。
【請求項２】
異常検出腕の主索との対向端に枢着されて常時において上記主索の外面に接して配置されたローラーを備えたことを特徴とする請求項１記載のエレベーターの非常止め装置。
【発明の詳細な説明】
【０００１】
【発明の属する技術分野】
この発明は、かごを吊持した主索の張力喪失によって動作して、昇降路に立設された案内レールを介してかごの異常下降を制動するエレベーターの非常止め装置に関する。
【０００２】
【従来の技術】
従来のエレベーターの非常止め装置においては、かごが引き止め具を介して主索に連結されて吊持され、また引き止め具がかごに設けられた伝動機構に係合される。そして、かごに設けられたくわえ金具が案内レールに嵌合状態に配置されて、伝動機構によって駆動される回動レバーに保持されたコロがくわえ金具と案内レールの間に配置される。
【０００３】
従来のエレベーターの非常止め装置は上記のように構成され、主索が破断したり、弛緩したりしたときの張力喪失によって引き止め具が変位し、この引き止め具の変位によって伝動機構が動作して回動レバーが駆動される。これによって、回動レバーに保持されたコロがくわえ金具と案内レールの間に圧入されて、コロと案内レールの間の摩擦によってかごの異常下降を制動するようになっている。（例えば、特許文献１参照）。
【０００４】
【特許文献１】
特公平７−９６４２９号公報（第１頁〜第２頁、第５図）
【０００５】
【発明が解決しようとする課題】
従来のエレベーターの非常止め装置では、主索の張力喪失によって引き止め具の変位、伝動機構の動作、回動レバーの駆動を経てコロがくわえ金具と案内レールの間に圧入され、コロと案内レールの間の摩擦によりかごの異常下降が制動される。このため、非常止め装置の部品点数が多く部品の製作、また部品の組立に煩雑な手数が掛かって製造費が嵩むという問題点があった。
【０００６】
この発明は、かかる問題点を解消するためになされたものであり、簡易に構成されて主索の張力喪失時にかごの異常下降を制動するエレベーターの非常止め装置を得ることを目的とする。
【０００７】
【課題を解決するための手段】
この発明に係るエレベーターの非常止め装置においては、案内レールに案内されて昇降するかごを吊持した主索、かごに設けられて案内レールに対向して配置された制動機構と、一端がかごに枢着されて他端は制動機構の制動片に係合され、常時は通常位置に配置されて制動機構の制動片を案内レールに空隙を介して対向した非制動位置に保持し、要時に回動動作して制動機構の制動片を案内レールに接する制動位置に変位する作動腕と、一端が作動腕の枢着軸側に直接連結され他端は主索方向に付勢されて常時において主索に掛合した通常位置に保持され、主索の張力喪失による掛合保持解除によって回動動作して作動腕を回動動作させる異常検出腕とが設けられる。
【０００８】
【発明の実施の形態】
実施の形態１．
図１及び図２は、この発明の実施の形態の一例を示す図で、図１は要部平面図、図２は図１の正面図である。図において、昇降路１を昇降するかご２にかご２の要部をなす非常止め装置のフレーム３が設けられ、また昇降路１に立設された案内レール４がかご２の平面における両側にそれぞれ配置される。そして、かご２を吊持した主索５の引き止め具６が、フレーム３に空隙を形成して挿通されて圧縮コイルばねを介してフレーム３に係止される。
【０００９】
また、かご２に嵌合体７が設けられて嵌合体７に案内レール４が空隙を形成して嵌合した嵌合溝８が凹設され、また嵌合溝８の一方の側面には下端側が案内レール４面から離れる方向に傾斜した傾斜面９が形成される。また、案内レール４面と傾斜面９との間に「ころ」からなる制動片１０が配置される。そして、嵌合体７及び制動片１０によって制動機構１１が形成される。
【００１０】
そして、フレーム３の長手に沿って配置されてフレーム３に枢着された枢着軸１２が設けられる。また、枢着軸１２の端部に作動腕１３の一端が固定され他端には制動機構１１の制動片１０が保持される。また、一端が枢着軸１２に直接連結され他端は主索５に対向して配置された異常検出腕１４が設けられ、異常検出腕１４の他端に異常検出腕１４の長手と直交した支持軸１５が固定される。
【００１１】
そして、支持軸１５の先端に主索５の外面に接して配置されるローラー１６が枢着される。また、ねじりばねからなる付勢体１７が枢着軸１２に嵌合されて設けられる。そして、ねじりばねの一端はフレーム３の固定部に、他端は作動腕１３又は異常検出腕１４に係止されて作動腕１３及び異常検出腕１４を図２において時計方向に付勢する。
【００１２】
上記のように構成されたエレベーターの非常止め装置において、異常検出腕１４は付勢体１７によって、かご２を吊持した主索５方向に付勢される。そして、常時において異常検出腕１４のローラー１６が、かご２の負荷による張力が作用した主索５に掛合して作動腕１３及び異常検出腕１４が図２に示す通常位置に配置される。
【００１３】
そして、作動腕１３が通常位置に配置された状態では、嵌合体７の嵌合溝８と案内レール４との間に空隙が形成され、また制動機構１１の制動片１０が嵌合溝８の傾斜面９に接し、案内レール４面との間に図２に示す空隙ｇを形成して配置される。そして、このような通常状態によりかご２が昇降運転されるが、この場合に制動片１０及び嵌合体７の嵌合溝８が案内レール４に接することはない。
【００１４】
また、主索５が破断したり、弛緩したりする異常発生時に主索５が張力を喪失するとかご２が異常下降を始める。そして、主索５が張力を喪失することによって、付勢されて主索５に掛合した異常検出腕１４のローラー１６が、主索５による保持を失い付勢体１７の付勢力によって変位する。これにより、異常検出腕１４が図２において時計方向に回動しこの異常検出腕１４の回動動作が直接、作動腕１３に伝動されて作動腕１３が回動動作して制動片１０が上昇する。
【００１５】
そして、上昇する制動片１０が傾斜面９に案内されることによって案内レール４面方向に移動し、案内レール４面との空隙ｇが消失する。これにより、制動片１０が案内レール４面に接すると相互間の摩擦により、かご２の下降によって制動片１０が上昇変位する。これによって、制動片１０が案内レール４面と傾斜面９によって形成されて尖端が上側に配置された楔形状の空所に圧入される。そして、案内レール４と制動片１０の間の摩擦によってかご２の異常下降が制動される。
【００１６】
以上説明したエレベーターの非常止め装置の構成において、簡易な装置構成、すなわち主索５の異常発生時に異常検出腕１４の回動動作が直接、作動腕１３に伝動される。そして、作動腕１３の回動動作によって制動片１０が上昇変位し、制動片１０の上昇を介してかご２の異常下降が制動される。したがって、非常止め装置の部品点数が少なく部品の製作費を節減でき、また部品の組立作業が減少して製造費を低減することができる。
【００１７】
また、図１及び図２の実施の形態において、異常検出腕１４の回動端にローラー１６が設けられて、このローラー１６が主索５の外面に接して配置される。そして、常時において主索５に微細な動揺があるが、異常検出腕１４の回動端がローラー１６を介して主索５に掛合されるので、主索５の動揺のために主索５に傷がつくことを防ぐことができる。
【００１８】
【発明の効果】
この発明は以上説明したように、案内レールに案内されて昇降するかごを吊持した主索、かごに設けられて案内レールに対向して配置された制動機構と、一端がかごに枢着されて他端は制動機構の制動片に係合され、常時は通常位置に配置されて制動機構の制動片を案内レールに空隙を介して対向した非制動位置に保持し、要時に回動動作して制動機構の制動片を案内レールに接する制動位置に変位する作動腕と、一端が作動腕の枢着軸側に直接連結され他端は主索方向に付勢されて常時において主索に掛合した通常位置に保持され、主索の張力喪失による掛合保持解除によって回動動作して作動腕を回動動作させる異常検出腕とを設けたものである。
【００１９】
これによって、付勢されて主索に掛合した異常検出腕が主索の破断等の異常発生時に変位し、異常検出腕が回動してこの回動動作が直接、作動腕に伝動されて作動腕が回動動作して制動機構の制動片が上昇する。そして、制動機構の制動片と案内レールとの摩擦を介してかごの異常下降が制動される。このような非常止め装置の簡易な構成によって異常発生時にかごの異常下降を制動できるので、部品点数が少なく部品の製作費を節減でき、また部品の組立作業が減少して製造費を低減する効果がある。
【図面の簡単な説明】
【図１】この発明の実施の形態１を示す要部平面図。
【図２】図１の正面図。
【符号の説明】
２　かご、４　案内レール、５　主索、１０　制動片、１１　制動機構、１２枢着軸、１３　作動腕、１４　異常検出腕、１６　ローラー。
【図１】
2004142914.tif 000003
【図２】
2004142914.tif 000004